(57)【要約】      （修正有）【課題】外観に優れるとともに、戸体の折り畳みを適切に、かつ円滑に行うことのできる折れ戸装置の提供。【解決手段】折れ戸装置１の開放を続けると、図９ｃ、さらには図９ｄのようにアーム４４の先端が枠体側部材４１に引っ掛かり、該先端を中心としてアーム４４が回動する。これにより、戸体側部材４２のベースも上記先端を中心に回動する方向に移動するので、戸体１０が室内外方向にも移動し始める。このときアーム４４は巻きバネにより付勢される。このようにして戸体１０が室内方向に大きく蹴り出されると、図９ｅに示したようにアーム４４は枠体側部材４１から離脱する。このときアーム４４は巻きバネの付勢の力により元の姿勢に戻される。かかる過程により戸体１０が室内側に蹴り出され、円滑な戸体１０の折り畳みをすることができる。【選択図】図９
2007297835.tif 000002
【特許請求の範囲】
【請求項１】
建物開口部の４辺に沿って配置される上横枠、下横枠、及び縦枠を有する枠体と、該枠体内に具備される複数の戸体と、隣り合う前記戸体の端部同士を回動可能に連結するヒンジと、を有し、前記戸体が折り畳み、及び展開可能とされることにより開放、及び閉鎖される折れ戸装置であって、
前記戸体の前記折り畳み時に、該戸体を室内外方向に移動させる装置である蹴り出し装置を有し、
前記蹴り出し装置が、
前記戸体を室内外方向に移動させることを開始する位置の前記上横枠又は下横枠の内側に前記戸体側に突出して具備される枠体側部材と、
前記枠体側部材が設けられた側の前記戸体上端部又は下端部に具備され、鉛直軸を中心に回動可能とされるアームと、を備え、
前記戸体の前記折り畳みのために該戸体を移動させる際、前記アームが前記枠体側部材に掛止し、該掛止した部位を中心に前記アームが回動することにより、前記戸体が前記上横枠又は下横枠に平行な方向及び室内外方向に移動することを特徴とする折れ戸装置。
【請求項２】
前記アームが、前記戸体の前記折り畳みの際、前記枠体側部材に掛止したときに前記戸体を移動させる力により、該力に抵抗するように付勢される弾性部材を備え、
前記弾性部材の前記付勢された力により前記掛止を維持することを特徴とする請求項１に記載の折れ戸装置。
【発明の詳細な説明】
【技術分野】
【０００１】
本発明は、店舗、住宅や公共施設等の建物の開口部に備えられる折れ戸装置に関する。詳しくは、備えられた戸体を円滑にかつ適切に折り畳むことのできる折れ戸装置に関する。
【背景技術】
【０００２】
折れ戸装置は、その開放時には、折れ戸装置に備えられる複数の戸体が、折り畳まれて略室内外方向に並べられ、開口部の端部にまとめて配置される。そのため戸体を開放したときに開口部を広く有効に利用することができる。また一方で、戸体の閉鎖時には該戸体に具備されたガラスパネルにより、中を見ることができたり、光を採り入れたりすることができる。かかる利便性から、例えば店舗におけるシャッターの代わりとして用いられることも多くなってきた。
【０００３】
折れ戸装置は、建物開口部の４辺に沿って取り付けられる枠体と、該枠体の内側に配置される複数の戸体とを有している。複数の戸体は、隣り合う戸体で、該戸体の幅方向端部同士を回動可能に連結するヒンジを備えている。そして戸体が折り畳み及び展開可能とされることにより折れ戸装置の開放及び閉鎖ができるように構成されている。詳しくは、戸体が折り畳まれたときには、該戸体が室内外方向に略平行に並べられるとともに、開口部の左右のいずれかの端部にまとめられるように配置されて開口部が開放される。一方、戸体の展開時には該戸体は開口部に平行に、枠体内全体に亘り配置されることにより開口部の閉鎖が行われる。
【０００４】
かかる構成を有する折れ戸装置では、戸体の展開の姿勢（開口部の閉鎖の姿勢）から折り畳みの姿勢（開口部の開放の姿勢）にされるとき、各戸体の両端に配置される上記のヒンジのうち一方が枠体の上下横枠に沿って移動し、他方が室内側又は室外側に突出するように移動する。従って、戸体は、その折り畳みの過程で、開口部に沿って移動するとともに、その向きを略９０度方向に回動させられる。
【０００５】
このような移動及び回動が適切に行われることにより円滑に戸体が折り畳まれる。しかし、従来の折れ戸装置において、該折れ戸装置を開放させようとしたときに、いずれの戸体も折り畳みを開始せず、展開した姿勢で動かなくなってしまう場合があった。これは、折れ戸装置を開放させようとする力が、戸体を室内又は室外方向へ折り畳む力に変換されず、戸体の折り畳みが適切に行われないことによる。
【０００６】
かかる問題を解決するため、特許文献１には戸体の折り畳みに際して該戸体を室内外方向に移動させる機構が開示されている。これは、戸体の連結部に配置されるトーションばねを用いることにより戸体の折り畳みを円滑にするというものである。また、当該特許文献１に記載された折れ戸装置には枠体に設けられた斜面を有するブロックと、戸体に設けられブロックに接して摺動するカムとが備えられていることにより、戸体を室内外方向へ移動させることができる。
【０００７】
【特許文献１】実公平６−３９７０号公報
【発明の開示】
【発明が解決しようとする課題】
【０００８】
しかし、従来の折れ戸装置においては、上記問題を解決することが依然として求められている。また特許文献１に記載されているトーションばねによるものでは、戸体の展開時には、常にトーションばねが戸体を折り畳もうとする方向に付勢されており、戸体にも折り畳もうとする力が働いているので安定した戸体の展開の姿勢が取り難かった。また、特許文献１に記載されているブロックとカムとの関係による戸体の移動手段に関しては、該移動手段を枠体の外にまで延在させることは好ましくないので、戸体を室内外方向に移動することができる大きさに限界があった。従って近年における折れ戸装置の多様化に対応することが困難とされていた。
【０００９】
そこで本発明はかかる観点から、外観に優れるとともに、戸体の折り畳みを適切に、かつ円滑に行うことのできる折れ戸装置を提供することを課題とする。
【課題を解決するための手段】
【００１０】
以下、本発明について説明する。なお、本発明の理解を容易にするために添付図面の参照符号を括弧書きにて付記するが、それにより本発明が図示の形態に限定されるものではない。
【００１１】
請求項１に記載の発明は、建物開口部の４辺に沿って配置される上横枠（３）、下横枠（４）、及び縦枠（５、６）を有する枠体（２）と、該枠体内に具備される複数の戸体（１０、１０、…）と、隣り合う戸体の端部同士を回動可能に連結するヒンジ（２０、２０、…）と、を有し、戸体が折り畳み、及び展開可能とされることにより開放、及び閉鎖される折れ戸装置（１）であって、戸体の折り畳み時に、該戸体を室内外方向に移動させる装置である蹴り出し装置（４０）を有し、蹴り出し装置が、戸体を室内外方向に移動させることを開始する位置の上横枠又は下横枠の内側に戸体側に突出して具備される枠体側部材（４１）と、枠体側部材が設けられた側の戸体上端部又は下端部に具備され、鉛直軸を中心に回動可能とされるアーム（４４）と、を備え、戸体の折り畳みのために該戸体を移動させる際、アームが枠体側部材に掛止し、該掛止した部位を中心にアームが回動することにより、戸体が上横枠又は下横枠に平行な方向及び室内外方向に移動することを特徴とする折れ戸装置を提供することにより前記課題を解決する。
【００１２】
ここで、蹴り出し装置は、上横枠及び戸体上端側、又は下横枠及び戸体下端側のいずれに設けられても良い。また、戸体の折り畳まれる方向は室内側、室外側のいずれでもよく、これによって限定されるものではない。
【００１３】
請求項２に記載の発明は、請求項１に記載の折れ戸装置（１）のアーム（４４）が、戸体（１０、１０、…）の折り畳みの際、枠体（３）側部材に掛止したときに戸体を移動させる力により、該力に抵抗するように付勢される弾性部材（４６）を備え、弾性部材の付勢された力により掛止を維持することを特徴とする。
【発明の効果】
【００１４】
本発明によれば、戸体の折り畳み時に蹴り出し装置によって戸体が室内側、又は室外側に適切に蹴り出されるので、戸体の折り畳みを円滑に進行させることができる。また、本発明に備えられる蹴り出し装置はアームの回動によるので、アームの長さを調節することにより蹴り出し量を調節することができる。この際、アームを蹴り出すとき以外は、該アームは室内外に突出することがなく、外観に優れた折れ戸装置を提供することができる。
【００１５】
本発明のこのような作用及び利得は、次に説明する発明を実施するための最良の形態から明らかにされる。
【発明を実施するための最良の形態】
【００１６】
以下本発明を図面に示す実施形態に基づき説明する。
【００１７】
図１は１つの実施形態にかかる本発明の折れ戸装置１の室外視正面図である。折れ戸装置１は、建物開口部の４辺に沿って取り付けられる枠体２と、該枠体内に備えられる複数の戸体１０、１０、…とを有している。該複数の戸体１０、１０、…の隣り合う戸体１０、１０同士は幅方向端部でヒンジ２０、２０、…（図２参照）を介して該端部を中心に回動可能に連結されている。枠体２は、長尺の型材である上横枠３と、下横枠４と、縦枠５、６とが枠状に組み合わされて形成されている。また、戸体１０は、ガラスパネル１５、１５と、該ガラスパネル１５、１５の外周を囲むように取り付けられる横框１１、１２、縦框１３、１４とを有している。図１に示した戸体１０、１０、…は全て同様の構成を有しているが、見易さのため一部符号の記載を省略している。折れ戸装置１は図１の紙面右に配置された戸体１０の縦枠５側の端部に戸先部材２１を備えている。戸先部材２１は、いわゆる戸先に配置される部材で、通常、該戸先部材２１を操作することにより折れ戸装置１の開閉を行う。従って、折れ戸装置１では、戸先部材２１を紙面左に移動させることにより開放を行う。開放が行われると戸体１０、１０、…は紙面左側に順次折り畳まれるように配置される。また、折れ戸装置１は図１の紙面左に配置された戸体１０の縦枠６側の端部に吊り元部材２２を備えている。吊り元部材２２は縦枠６と係合されている。
【００１８】
図２は、戸体１０、１０、…が折り畳まれたときにおける折れ戸装置１の水平断面図である。図２では、紙面上が室内側、紙面下が室外側である。また、図２でも見易さのため一部符号を省略している。このように、折れ戸装置１では、その開放時には戸体１０、１０、…が縦枠６側に折り畳まれるように配置される。その時の戸体１０、１０、…は室内外方向に略平行になる姿勢である。これにより開放時には大きく開口され、開口部を有効に利用することができる。また、図２からわかるように、隣り合う戸体１０、１０は、その端部同士をヒンジ２０、２０、…で連結されている。当該ヒンジ２０と戸体１０の端部とは該端部を中心に連結部１６、１６、１６、…で回動可能に連結されている。そして、一方の端部が上横枠３、下横枠４（図１参照）に沿って移動し、他方の端部が室内側へ突出するように移動する。上横枠３及び下横枠４に沿って移動するヒンジ２０、２０、…には後述するように移動手段としての上軸３０、車輪３２、３２等が設けられている（図３参照）。このような動作により、戸体１０、１０、…が折り畳まれる。
【００１９】
図３は、戸体１０、１０、…が展開された姿勢における折れ戸装置１の縦断面図である。図３では紙面右が室内側、紙面左が室外側である。折れ戸装置１は、上横枠３及び下横枠４に沿って移動するヒンジ２０（図２参照）の上端部に移動手段としての上軸３０と、車輪軸３１と、車輪３２、３２とを備えている。詳しくは、上軸３０は、ヒンジ２０（図２参照）の上端部から上横枠３の内側に向けて鉛直に延在する。そして、車輪軸３１は、上軸３０の上端部に室内外方向に平行に設けられ、車輪３２、３２は、車輪軸３１の両端に該車輪軸３１を軸として回転可能に具備されている。また、ヒンジ２０の下端部には、下横枠４の内側に向けて鉛直に延在する下軸３５と、該下軸３５を回転軸とする車輪３６とを有している。これら上軸３０、車輪軸３１、車輪３２、３２、下軸３５、及び車輪３６は、上述したように折れ戸装置１に備えられたヒンジ２０、２０、…のうち上横枠３及び下横枠４に沿って移動するヒンジ２０、２０、…のそれぞれに具備されている。
【００２０】
上横枠３は、中空であるとともに断面における下辺が開口した部材であるレール部材２５と、該レール部材２５の下端にレール部材２５の長手方向に沿って取り付けられる戸体ガイド２６、２７とを有している。レール部材２５はその断面において、室内外の側壁から内側に向けて延在する片であるレール２５ａ、２５ａを有している。このレール２５ａ、２５ａの上面を上記車輪３２、３２が転動することにより移動することができる。戸体ガイド２６、２７は、断面においてレール部材２５の下端から下方に戸体１０の上端よりも若干下となる高さ位置まで延在する。さらに戸体ガイド２６、２７は、該戸体ガイド２６、２７の下端から内側に向けて延在する片２６ａ、２７ａを有している。該片２６ａ、２７ａはその対向する端部の間隔が戸体１０の厚さより若干大きくなるようにされており、これによって戸体１０が室内外方向に大きく移動することを防止し、いわゆる戸体１０の「ばたつき」を抑えることが可能となる。
【００２１】
下横枠４は、中空であるとともに断面における上辺が開口した部材である。下横枠４は、その断面において、内側に所定の間隔を有する平行に立設された側壁４ａ、４ａを有している。この側壁４ａ、４ａの間を上記車輪３６が転動できる。
【００２２】
さらに折れ戸装置１に備えられる部材について説明する。図４は、折れ戸装置１の戸体１０、１０、…が展開された姿勢における水平断面図で、以下に説明する蹴り出し装置４０を含む部分に注目して示した図である。図４では、紙面上が室内側、紙面下が室外側である。図４には、戸体ガイド２６、２７のうち室外側の戸体ガイド２７のみが現れている。これは、戸体ガイド２６、２７のうち室外側の戸体ガイド２７は縦枠５、６の間に渡されるように配置されている一方、室内側の戸体ガイド２６は、縦枠５から戸体ガイド２７に略平行に延在するが、縦枠６には達しないように設けられていることによる。これは、戸体ガイド２６が配置されない部分で戸体１０、１０、…が室内側に突出して折り畳まれるので、ここでは戸体１０、１０、…を室内方向に拘束するのは適当でないからである。
【００２３】
折れ戸装置１には、蹴り出し装置４０が設けられている。蹴り出し装置４０は、枠体側部材４１と、戸体側部材４２とを有している。そのうち枠体側部材４１は、戸体ガイド２７の室内側側面に室内側に凸となるように備えられている。また、枠体側部材４１は、室内側に戸体ガイド２６が備えられていない部分で、戸体１０、１０、…の折り畳みが開始される位置に具備される。一方、戸体側部材４２は、戸体１０の上端面に備えられる。蹴り出し装置４０については後で詳しく説明する。
【００２４】
図５は、蹴り出し装置４０が備えられた部分の折れ戸装置１の縦断面図で、そのうちの上端部を示した図である。図５では紙面右が室内側、紙面左が室外側である。蹴り出し装置４０が備えられている部位なので、室内側の戸体ガイド２６は配置されていない。図５からわかるように、蹴り出し装置４０の枠体側部材４１と戸体側部材４２とは高さ方向位置が略同一となるように設置されている。
【００２５】
次に蹴り出し装置４０について説明する。図６は蹴り出し装置４０の枠体側部材４１の斜視図である。枠体側部材４１は、上面視で略台形である（図４参照）いわゆるブロック体である。またその１つ側面から対向する他側面に貫通する２つの孔４１ａ、４１ｂを有している。該孔４１ａ、４１ｂを貫通させた固定部材により上横枠３に固定される。枠体側部材４１は必ずしも上面視台形である必要はなく、後述するように戸体側部材４２が適切に引っ掛かる形状であればその形は特に限定されるものではない。
【００２６】
図７は、蹴り出し装置４０の戸体側部材４２の斜視図である。戸体側部材４２はその外観視で、ベース４３と、アーム４４と、ベース４３とアーム４４とを連結する軸４５とを備えている。ベース４３は、幅方向（紙面左上−右下方向）が戸体１０の厚さと略同一であるブロック体であり、上面から下面に貫通する孔４３ａ、４３ｂを有している。該孔４３ａ、４３ｂを介して固定部材により戸体１０の上面に取り付けられる。アーム４４はベース４３の上面に取り付けられたアーム状の部材である。該アーム状である一端は鉛直な方向に備えられた軸４５によりベース４３に回動可能に取り付けられている。また、他端側はその先端が上面視で細く形成されている。
【００２７】
さらに戸体側部材４２について説明する。図８（ａ）は戸体側部材４２の平面図、図８（ｂ）は戸体側部材４２の側面図である。戸体側部材４２の内側には巻きバネ４６が備えられている。図８（ａ）、図８（ｂ）に巻きバネ４６を破線で示した。巻きバネ４６の巻かれた部分は軸４５の外周に配置される。また、巻きバネ４６の一端はベース４３に、他端はアーム４４に固定して取り付けられている。従って、戸体側部材４２では、ベース４３とアーム４４とが最初に取り付けられた姿勢に対して、アーム４４が回動された時、当該最初の姿勢に戻る方向に巻きバネ４６が付勢される。従って、アーム４４を回動させる力が除かれた場合、アーム４４は巻きバネ４６の力により最初の位置に戻る。
【００２８】
以上のような蹴り出し装置４０を備えた折れ戸装置１により、戸体１０、１０、…の折り畳みが円滑に進められる。次に蹴り出し装置４０の折れ戸装置１への配置について図４を参照しつつ説明する。図４は上述したように折れ戸装置１を上面から見た図で、吊り元側である縦枠６側の端部に注目して示した図である。蹴り出し装置４０の枠体側部材４１は、全ての戸体１０、１０、…が吊り元側に折り畳まれた姿勢とされた場合（図２参照）における最も戸先側の戸体１０より戸先側である位置の上横枠３の室外側側壁（戸体ガイド２７）に取り付けられる。この際、枠体側部材４１が戸体１０側に凸となるように配置される。
【００２９】
一方、戸体側部材４２は、折り畳んだ姿勢で室内側に配置されるヒンジ２０、２０、…（図２参照）を挟んで左右に配置される戸体１０、１０、…のいずれか一方の戸体１０の上端面に備えられる（図５参照）。このとき、戸体側部材４２のアーム４４の先端は、該アーム４４が取り付けられた戸体１０の上横枠３に沿った移動に追随して移動する際に、その軌道上に枠体側部材４１が具備されるように設定される。例えば図４に示したような配置である。
【００３０】
戸体側部材４２の戸体１０の上部における取り付け位置は特に限定されるものではないが、上横枠３に沿って移動可能とされたヒンジ２０に近い方が好ましい。これは、同じ長さのアーム４４であってもより大きな蹴り出し量を得ることができるからである。
【００３１】
次に、上記のように配置された蹴り出し装置４０により、戸体１０が蹴り出される過程を図９を例に説明する。図９は（ａ）〜（ｆ）で順を追って当該過程を説明するための図で、各図において紙面上が室内側、紙面下が室外側である。
【００３２】
図９（ａ）は、戸体１０、１０、…の全てが展開され、折れ戸装置１が閉鎖された姿勢である。かかる姿勢では、蹴り出し装置４０の枠体側部材４１と戸体側部材４２とは接触していない。従って、このとき戸体１０、１０、…に展開させようとする力は生じておらず、折れ戸装置１は適切に閉鎖されている。
【００３３】
図９（ａ）の姿勢から、戸先部材２１を利用して折れ戸装置１の開放（戸体１０、１０、…の折り畳み動作）を開始する。すなわち、戸体１０、１０、…を紙面左に移動させる。すると図９（ｂ）のように吊り元部材２２が縦枠６の内側に移動し、これにより枠体側部材４１に戸体側部材４２のアーム４４の先端が接触する。さらに、折れ戸装置１の開放を続けると、図９（ｃ）、さらには図９（ｄ）のようにアーム４４の先端が枠体側部材４１に引っ掛かり、該先端を中心としてアーム４４が回動する。これにより、戸体側部材４２のベース４３も上記先端を中心に回動する方向に移動するので、戸体１０が室内外方向にも移動し始める。このときアーム４４は上述した巻きバネ４６により付勢される。このようにして戸体１０が室内方向に大きく蹴り出されると、図９（ｅ）に示したようにアーム４４は枠体側部材４１から離脱する。このときアーム４４は巻きバネ４６の付勢の力により元の姿勢に戻される。かかる過程により戸体１０が室内側に蹴り出され、円滑な戸体１０の折り畳みをすることができる。１組の戸体１０、１０が適切に折り畳まれた後は、図１０（ｆ）に示したように次の戸体側部材４２について図９（ｂ）〜図９（ｅ）の動作を繰り返す。
【００３４】
本発明の折れ戸装置１に備えられる蹴り出し装置４０は、以上のようにアーム４４の回動によって蹴り出しが行われるので、アーム４４の長さを変更するだけで、蹴り出し量を調整することが可能である。また、アームの長さを折れ戸装置の厚さよりも大きくして、大きく蹴り出しができるようにも設定できる。加えて、この場合であっても通常時において、蹴り出し装置が折れ戸装置から突出して配置されることがない。従って、大きく蹴り出すことができるとともに外観に優れた折れ戸装置を提供することができる。
【００３５】
本実施形態の折れ戸装置１は、室内側に突出するように戸体１０、１０、…が折り畳まれる態様であったが、室外側に突出するように戸体が折り畳まれる態様の折れ戸装置であってもよい。上記蹴り出し装置が適切に動作してその効果を得ることができる折れ戸装置であればその態様は特に限定されるものではない。
【００３６】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う折れ戸装置も本発明の技術的範囲に包含されるものとして理解されなければならない。
【図面の簡単な説明】
【００３７】
【図１】１つの実施形態にかかる本発明の折れ戸の室外視正面図である。
【図２】戸体が折り畳まれた姿勢の折れ戸の横断面図である。
【図３】折れ戸の縦断面図である。
【図４】折れ戸に蹴り出し装置に注目して模式的に示した上面図である。
【図５】蹴り出し装置が備えられた部分の折れ戸の縦断面図で、そのうちの上端部を示した図である。
【図６】枠体側部材の斜視図である。
【図７】戸体側部材の斜視図である。
【図８】戸体側部材の平面図及び側面図である。
【図９】蹴り出し装置の動作を順を追って説明するための図である。
【符号の説明】
【００３８】
１  折れ戸装置
２  枠体
３  上横枠
４  下横枠
５  縦枠
６  縦枠
１０  戸体
１１  横框
１２  横框
１３  縦框
１４  縦框
１５  ガラスパネル
１６  連結部材
２０  ヒンジ
２１  戸先部材
２５  レール部材
２６  戸体ガイド
２７  戸体ガイド
３０  上軸
３１  車輪軸
３２  車輪
３５  下軸
３６  車輪
４０  蹴り出し部材
４１  枠体側部材
４２  戸体側部材
４３  ベース
４４  アーム
４５  軸
４６  巻きバネ
【図１】
2007297835.tif 000003
【図２】
2007297835.tif 000004
【図３】
2007297835.tif 000005
【図４】
2007297835.tif 000006
【図５】
2007297835.tif 000007
【図６】
2007297835.tif 000008
【図７】
2007297835.tif 000009
【図８】
2007297835.tif 000010
【図９】
2007297835.tif 000011